(57)【要約】【課題】  利用者が生体情報を計測する予定を携帯型情報端末に報知させ、計測忘れを防止し、利用者の継続的計測をサポートする計測報知システムを提供する。【解決手段】  計測報知システム１は、トイレに設置される生体計測装置２と、生体計測装置２と無線により通信する携帯情報端末４とを備える。生体計測装置２は、利用者の尿中成分を計測する尿中成分計測部２１と、利用者毎に、尿中成分について計測を行うべき時刻を記憶している記憶部２５と、現在時刻を計時する計時部２３と、計時部２３によって計時される時刻が、計測を行うべき時刻と所定の時間範囲内にある場合、警報情報をその利用者の携帯情報端末４へ通信部２７を介して送信する計測予定管理部２９とを備える。携帯情報端末４は、通信部２７からの警報情報を受信し、警報を報知する。【選択図】        図２  
2005342121.tif 000002
【特許請求の範囲】
【請求項１】
所定の場所に設置される生体計測装置と、前記生体計測装置と無線により通信する携帯端末とを備える計測報知システムであって、
前記生体計測装置は、
生体の所定の計測事項を計測する生体計測手段と、
所定の計測対象者が前記計測事項について計測を行うべき時刻を記憶している計測時刻記憶手段と、
時刻を計時する計時手段と、
前記計時手段によって計時される時刻が、前記計測を行うべき時刻に対して所定の時間範囲内にある場合、警報情報を前記携帯端末へ送信する送信手段とを備え、
前記携帯端末は、
前記送信手段からの前記警報情報を受信する受信手段と、
前記受信手段が前記警報情報を受信した場合、警報を報知する報知手段と
を備えることを特徴とする計測報知システム。
【請求項２】
所定の場所に設置され、所定の携帯端末と無線により通信する生体計測装置であって、
生体の所定の計測事項を計測する生体計測手段と、
所定の計測対象者が前記計測事項について計測を行うべき時刻を記憶している計測時刻記憶手段と、
時刻を計時する計時手段と、
前記計時手段によって計時される時刻が、前記計測を行うべき時刻に対して所定の時間範囲内にある場合、警報情報を前記携帯端末へ送信する送信手段と
を備えることを特徴とする生体計測装置。
【請求項３】
前記送信手段は、前記計測を行うべき時刻から所定の時間より前に前記生体計測手段によって前記計測事項が計測された場合、前記警報情報を送信しない
ことを特徴とする請求項２記載の生体計測装置。
【請求項４】
前記生体計測装置は、さらに、
前記生体計測手段によって得られた計測結果を記憶する計測結果記憶手段と、
前記生体計測手段によって得られた計測結果が、前記計測結果記憶手段に記憶されている過去の計測結果に対して所定の関係を有する場合、前記計測時刻記憶手段に記憶されている前記計測を行うべき時刻を変更する変更手段と
を備えることを特徴とする請求項２記載の生体計測装置。
【請求項５】
前記送信手段は、さらに、前記生体計測手段によって得られた計測結果を前記携帯端末へ送信する
ことを特徴とする請求項２記載の生体計測装置。
【請求項６】
前記生体計測装置は、さらに、
前記計測事項に関するアドバイス情報を記憶しているアドバイス情報記憶手段を備え、
前記送信手段は、さらに、前記アドバイス情報記憶手段に記憶されている前記アドバイス情報の中の、前記生体計測手段によって得られた計測結果に対応するアドバイス情報を前記携帯端末へ送信する
ことを特徴とする請求項５記載の生体計測装置。
【請求項７】
生体の所定の計測事項に関する情報を所定の携帯端末と無線により通信する生体情報通信方法であって、
前記計測事項を計測する生体計測ステップと、
時刻を計時する計時ステップと、
前記計時ステップにおいて計時する時刻が、所定の計測対象者が前記計測事項について計測を行うべき時刻に対して所定の時間範囲内にある場合、警報情報を前記携帯端末へ送信する送信ステップと
を含むことを特徴とする生体情報通信方法。
【請求項８】
生体の所定の計測事項に関する情報を所定の携帯端末と無線により通信するためのプログラムであって、
前記計測事項を計測する生体計測ステップと、時刻を計時する計時ステップと、前記計時ステップにおいて計時する時刻が、所定の計測対象者が前記計測事項について計測を行うべき時刻に対して所定の時間範囲内にある場合、警報情報を前記携帯端末へ送信する送信ステップとをコンピュータに実行させるためのプログラム。
【請求項９】
所定の場所に設置される生体計測装置と無線により通信する携帯端末であって、
前記生体計測装置からの前記警報情報を受信する受信手段と、
前記受信手段が前記警報情報を受信した場合、警報を報知する報知手段と
を備えることを特徴とする携帯端末。
【請求項１０】
前記受信手段は、さらに、前記生体計測装置からの前記計測結果を受信し、
前記携帯端末は、さらに、
前記受信手段が受信した前記計測結果を出力する出力手段を備える
ことを特徴とする請求項９記載の携帯端末。
【請求項１１】
前記受信手段は、さらに、前記生体計測装置からの前記計測結果に対応するアドバイス情報を受信し、
前記携帯端末は、さらに、
前記受信手段が受信した前記アドバイス情報を出力する出力手段を備える
ことを特徴とする請求項９記載の携帯端末。
【請求項１２】
所定の場所に設置される生体計測装置と無線により通信し、通信内容に基づいて処理する通信処理方法であって、
前記生体計測装置からの前記警報情報を受信する受信ステップと、
前記受信ステップにおいて前記警報情報を受信した場合、警報を報知する報知ステップと
を含むことを特徴とする通信処理方法。
【請求項１３】
所定の場所に設置される生体計測装置と無線により通信し、通信内容に基づいて処理する通信処理方法であって、
前記生体計測装置からの前記警報情報を受信する受信ステップと、前記受信ステップにおいて前記警報情報を受信した場合、警報を報知する報知ステップとをコンピュータに実行させるためのプログラム。
【請求項１４】
所定の場所に設置される生体計測装置と、前記生体計測装置と無線により通信する携帯端末とを備える計測報知システムであって、
前記生体計測装置は、
生体の所定の計測事項を計測する生体計測手段と、
前記生体計測手段によって前記計測事項が計測された場合、計測終了情報を前記携帯端末へ送信する送信手段とを備え、
前記携帯端末は、
所定の計測対象者が前記計測事項について計測を行うべき時刻を記憶している計測時刻記憶手段と、
時刻を計時する計時手段と、
前記送信手段からの前記計測終了情報を受信する受信手段と、
前記計測終了情報が前記計測を行うべき時刻よりも所定の時間前に前記受信手段によって受信されなかった場合、警報を報知する報知手段と
を備えることを特徴とする計測報知システム。
【請求項１５】
所定の場所に設置され、所定の携帯端末と無線により通信する生体計測装置であって、
生体の所定の計測事項を計測する生体計測手段と、
前記生体計測手段によって前記計測事項が計測された場合、計測終了情報を前記携帯端末へ送信する送信手段と
を備えることを特徴とする生体計測装置。
【請求項１６】
前記送信手段は、さらに、前記生体計測手段によって得られた計測結果を前記携帯端末へ送信する
ことを特徴とする請求項１５記載の生体計測装置。
【請求項１７】
生体の所定の計測事項に関する情報を所定の携帯端末と無線により通信する生体情報通信方法であって、
前記計測事項を計測する生体計測ステップと、
前記生体計測ステップにおいて前記計測事項を計測した場合、計測終了情報を前記携帯端末へ送信する送信ステップと
を含むことを特徴とする生体情報通信方法。
【請求項１８】
生体の所定の計測事項に関する情報を所定の携帯端末と無線により通信するためのプログラムであって、
前記計測事項を計測する生体計測ステップと、前記生体計測ステップにおいて前記計測事項を計測した場合、計測終了情報を前記携帯端末へ送信する送信ステップとをコンピュータに実行させるためのプログラム。
【請求項１９】
所定の場所に設置される生体計測装置と無線により通信する携帯端末であって、
所定の計測対象者が前記計測事項について計測を行うべき時刻を記憶している計測時刻記憶手段と、
時刻を計時する計時手段と、
前記生体計測装置からの前記計測終了情報を受信する受信手段と、
前記計測終了情報が前記計測を行うべき時刻よりも所定の時間前に前記受信手段によって受信されなかった場合、警報を報知する報知手段と
を備えることを特徴とする携帯端末。
【請求項２０】
前記受信手段は、さらに、前記生体計測装置からの計測結果を受信し、
前記携帯端末は、さらに、
前記受信手段によって受信された計測結果を記憶する計測結果記憶手段と、
前記受信手段によって受信された計測結果が、前記計測結果記憶手段に記憶されている過去の計測結果に対して所定の関係を有する場合、前記計測時刻記憶手段に記憶されている前記計測を行うべき時刻を変更する変更手段と
を備える請求項１８記載の携帯端末。
【請求項２１】
所定の場所に設置される生体計測装置と無線により通信し、通信内容に基づいて処理する通信処理方法であって、
所定の計測対象者が所定の計測事項について計測を行うべき時刻を記憶している計測時刻記憶手段と、
時刻を計時する計時ステップと、
前記生体計測装置からの前記計測終了情報を受信する受信ステップと、
前記受信ステップにおいて、前記計測終了情報が前記計測を行うべき時刻よりも所定の時間前に受信しなかった場合、警報を報知する報知ステップと
を含む通信処理方法。
【請求項２２】
所定の場所に設置される生体計測装置と無線により通信し、通信内容に基づいて処理するためのプログラムであって、
所定の計測対象者が所定の計測事項について計測を行うべき時刻を記憶している計測時刻記憶手段と、
時刻を計時する計時ステップと、
前記生体計測装置からの前記計測終了情報を受信する受信ステップと、
前記受信ステップにおいて、前記計測終了情報が前記計測を行うべき時刻よりも所定の時間前に受信しなかった場合、警報を報知する報知ステップと
をコンピュータに実行させるためのプログラム。
【発明の詳細な説明】
【技術分野】
【０００１】
本発明は、生体計測のスケジュールを管理し、計測の予定を利用者に報知することにより生体計測の測定忘れを防止し、継続的計測をサポートする計測報知システムに関する。
【背景技術】
【０００２】
在宅での生活習慣病の管理や予防を目的として、自分の客観的な健康状態を管理するために、生体情報の計測を行い測定データを記録し管理することが行われている。生体情報を用いて個人の健康状態を知るためには、長期にわたり同じ条件で計測されたデータの中で日々の変化を見ることが必要である。従来、医療機関などの専門機関でしか計測できなかった検査項目も、近年、家庭で手軽に計測できるような装置が普及してきている。しかし、生活者にとって毎日または定期的に生体情報を計測することは、面倒であったり、うっかり計測し忘れたりすることが多く継続が困難であった。そこで、生体情報の計測忘れを防止するために、あらかじめタイマー設定された時刻になると、個人別に異なる報知方法で計測を促す情報を報知するものがある（例えば、特許文献１参照）。前記特許文献１に記載された従来の健康機器の使用促進装置は、タイマー設定部によって設定された時刻になると、使用頻度記憶部と計測結果記憶部からの情報に基づき、歳時記、メッセージから報知パターン抽出部が抽出した情報を報知機能部にて報知することにより、利用者が忘れずに健康機器を使用し、健康計測を行うことを促進するものである。
【０００３】
また、携帯電話機に毎朝の基礎体温計測と計測データの管理やグラフ表示を行う機能を持たせ、さらに計測のタイミングを報知する機能を持たせたものがある（例えば、特許文献２参照）。
【特許文献１】特開平１１−１７８７９８号公報
【特許文献２】特開２００３−６９６６６号公報
【発明の開示】
【発明が解決しようとする課題】
【０００４】
しかしながら、上記従来の健康機器の使用誘導装置は、毎日、タイマーの設定時刻になると自動的に健康機器本体が音声や表示によって健康機器の使用を促す情報を報知する。このため、尿検査装置などのトイレに備えられた計測機器を使用する場合には、利用者がトイレの外にいるとアラームが鳴っていることに気が付かなかったり、排泄の用がなくてもわざわざトイレに行ってアラームを解除したり、計測を行わなければならなくて、個人のライフスタイルに適合したものとは言いがたい。
【０００５】
また、携帯電話機に体温計測とデータ管理機能とを持たせ、併せて計測のタイミングを報知する装置においては、携帯電話機に備えることが可能な生体情報の計測機能が自ずと限定されるという問題がある。例えば、基礎体温の計測とは異なり、尿成分の計測は尿を扱うので、携帯電話機に計測機能を備えることは衛生上好ましくなく、また携帯電話機を持参してトイレに行かなければならず実用的ではない。
【０００６】
本発明は上記従来の課題を考慮し、利用者の生体計測の測定忘れを防止し、生体情報の継続的計測をサポートする計測報知システムを提供することを目的としている。
【課題を解決するための手段】
【０００７】
上記従来の課題を解決するために、本発明の計測報知システムは、所定の場所に設置される生体計測装置と、前記生体計測装置と無線により通信する携帯端末とを備える計測報知システムであって、前記生体計測装置は、生体の所定の計測事項を計測する生体計測手段と、所定の計測対象者が前記計測事項について計測を行うべき時刻を記憶している計測時刻記憶手段と、時刻を計時する計時手段と、前記計時手段によって計時される時刻が、前記計測を行うべき時刻に対して所定の時間範囲内にある場合、警報情報を前記携帯端末へ送信する送信手段とを備え、前記携帯端末は、前記送信手段からの前記警報情報を受信する受信手段と、前記受信手段が前記警報情報を受信した場合、警報を報知する報知手段とを備える。
【０００８】
また、本発明の生体計測装置は、所定の場所に設置され、所定の携帯端末と無線により通信する生体計測装置であって、生体の所定の計測事項を計測する生体計測手段と、所定の計測対象者が前記計測事項について計測を行うべき時刻を記憶している計測時刻記憶手段と、時刻を計時する計時手段と、前記計時手段によって計時される時刻が、前記計測を行うべき時刻に対して所定の時間範囲内にある場合、警報情報を前記携帯端末へ送信する送信手段とを備える。
【０００９】
また、本発明の送信手段は、前記計測を行うべき時刻から所定の時間より前に前記生体計測手段によって前記計測事項が計測された場合、前記警報情報を送信しない。
また、本発明の前記生体計測装置は、さらに、前記生体計測手段によって得られた計測結果を記憶する計測結果記憶手段と、前記生体計測手段によって得られた計測結果が、前記計測結果記憶手段に記憶されている過去の計測結果に対して所定の関係を有する場合、前記計測時刻記憶手段に記憶されている前記計測を行うべき時刻を変更する変更手段とを備える。
【００１０】
さらに、本発明の前記生体計測装置は、さらに、前記計測事項に関するアドバイス情報を記憶しているアドバイス情報記憶手段を備え、前記送信手段は、さらに、前記アドバイス情報記憶手段に記憶されている前記アドバイス情報の中の、前記生体計測手段によって得られた計測結果に対応するアドバイス情報を前記携帯端末へ送信する。
【００１１】
また、本発明の他の計測報知システムは、所定の場所に設置される生体計測装置と、前記生体計測装置と無線により通信する携帯端末とを備える計測報知システムであって、前記生体計測装置は、生体の所定の計測事項を計測する生体計測手段と、前記生体計測手段によって前記計測事項が計測された場合、計測終了情報を前記携帯端末へ送信する送信手段とを備え、前記携帯端末は、所定の計測対象者が前記計測事項について計測を行うべき時刻を記憶している計測時刻記憶手段と、時刻を計時する計時手段と、前記送信手段からの前記計測終了情報を受信する受信手段と、前記計測終了情報が前記計測を行うべき時刻よりも所定の時間前に前記受信手段によって受信されなかった場合、警報を報知する報知手段とを備える。
【００１２】
なお、本発明は、このような計測報知システムとして実現することができるだけでなく、このような計測報知システムが備える特徴的な手段をステップとする生体計測方法として実現したり、それらのステップを携帯電話機上で実行させるプログラムとして実現したりすることもできる。そしてそのようなプログラムは、記憶媒体やインターネットなどの伝送媒体を介して配信することができるのは言うまでもない。
【発明の効果】
【００１３】
本発明によれば、トイレでの計測が必要な生体計測のスケジュールと、過去に計測を行った計測の履歴から、計測のタイミングをトイレの外にいる利用者に直接知らせるので、利用者は排尿の直前に確実に計測の必要性を認識でき、計測忘れを防ぎ、効果的に継続的な計測を行わせることができる。
【００１４】
また、計測結果や結果に基づくアドバイスを利用者の携帯型情報端末に報知することで、利用者は計測結果がでるまでトイレで待つ必要がなく、かつ、どこにいてもリアルタイムで計測結果を知ることができる。
【００１５】
また、トイレでの計測結果やアドバイスを携帯情報端末で見ることができるので計測結果が出るまでトイレで待つ必要がなく、また日常的に身に付けて持ち歩く情報端末で計測値を確認することで、生活の場面で自分の健康状態や生活のアドバイスを確認しながら食事や運動などの生活習慣改善を実践することができる。
【００１６】
また、計測結果に応じてあらかじめ設定された計測タイミングを変更し利用者に知らせるので、計測ミスを考慮したより精度の高い生体計測を行うことができる。
また、携帯電話機などの利用者が日常的に持ち歩く携帯情報端末に機能をもたせるので、携帯情報端末の既存のデバイスを用いて機能を実現できる。このため、新たに専用の端末を用意する必要がなく、計測装置側は計測したデータを送信するだけの簡単な構成で実現できる。
【発明を実施するための最良の形態】
【００１７】
以下、本発明の実施の形態について、図面を参照しながら説明する。
（実施の形態１）
図１は、本発明の実施の形態１における計測報知システム１の構成を示すブロック図である。計測報知システム１は、利用者によって生体計測装置にセットされた計測スケジュールに基づいて、生体情報の計測のタイミングを利用者の携帯情報端末により報知するシステムであって、生体計測装置２、通信網３および携帯情報端末４を備える。生体計測装置２は、トイレ室内などに設置され、生体情報の計測スケジュールの入力を利用者から受け付け、生体情報の計測タイミングを利用者の携帯情報端末に報知させるほか、生体情報の計測を行い、計測結果である生体情報に基づいて健康管理のアドバイスを行う装置であって、通信網３を介して、利用者の携帯情報端末４と接続する。通信網３は、ホームネットワーク、ＬＡＮ（Local Area Network）、公衆回線網やインターネットなどの通信ネットワークである。携帯情報端末４は、利用者が携帯可能な情報端末であり、携帯電話機、ＰＤＡ（Personal Digital Assistant）などによって実現される。
【００１８】
図２は、図１に示した生体計測装置２の構成を示すブロック図である。生体計測装置２は、尿中成分計測部２１、入力部２２、計時部２３、制御部２４、記憶部２５、表示部２６および通信部２７を備える。さらに、制御部２４は、計測予定管理部２９および結果通知部３０を備える。また、記憶部２５は、履歴管理部２８を備える。尿中成分計測部２１は、トイレで採取された利用者の尿中の成分を検出する。尿中成分計測部２１で検出する尿中成分は、例えば、尿中塩分、尿中総たんぱく、尿中ホルモン、アルブミン、尿糖、ウロブリノーゲン等である。入力部２２は、利用者によるキー操作に従って、利用者の性別及び年齢などの個人情報、利用者を特定するための識別情報、尿計測の計測頻度や計測日時に関する情報、および計測を促すための報知方法として、所望の音情報や所望の表示メッセージなどを選択する入力を受け付ける。計時部２３は、現在日時をカウントする。制御部２４は、尿中成分計測部２１と、入力部２２と、計時部２３とからの情報を受け付け、受け付けた情報を処理し、処理された情報を記憶部２５に格納する。より具体的には、制御部２４は、尿中成分計測部２１から計測データを受信すると、そのときの現在日時を計時部２３から取得し、取得された現在日時（計測日時）と、計測データとを対応付けて記憶部２５に送信する。計測予定管理部２９は、利用者によってあらかじめ入力された個人プロフィール情報および測定報知に関する設定情報を参照して計測スケジュールを作成および保持する。また、計測予定管理部２９は、定期的に、現在時刻と各利用者に設定されたアラーム時刻とをチェックし、（１）計時部２３からの現在時刻と、（２）計測タイミングを報知するアラーム時刻と、（３）すでに計測が実行されたか否かとに基づいて、警報情報を、通信部２７を介して携帯情報端末４に送信する。なお、警報情報は、計測予定時刻の到来をあらかじめ利用者毎に設定された報知方法で利用者に報知するよう携帯情報端末４に指示する情報である。結果通知部３０は、尿中成分計測部２１から計測データを受信すると、計測結果および計測結果に対応する日常生活に関するアドバイスを記憶部２５から読み出し、通信部２７を介して携帯情報端末４に送信する。これにより、結果通知部３０は、計測結果および計測結果に対応する日常生活に関するアドバイスを利用者の携帯情報端末４にて報知させる。記憶部２５は、制御部２４からの情報を記憶するための記憶領域を有し、入力部２２から入力された個人情報、測定報知に関する設定情報、および計測結果に対応する日常生活に関するアドバイスなどを記憶する。履歴管理部２８は、制御部２４からの計測データを、個人別の測定記録として記憶する。表示部２６は、利用者が個人識別情報や計測報知に関する情報を入力する際の案内文および選択肢などからなる入力画面を表示し、また、尿中成分の計測が終了すると、結果通知部３０から入力された測定結果や日常生活に関するアドバイス情報を利用者に提示する。なお、図示しないが、携帯情報端末４は、生体計測装置２から警報情報、計測結果および計測結果に対応する日常生活に関するアドバイスなどを受信する受信部と、生体計測装置２から警報情報が受信された場合には、警報情報により指定される報知方法で報知を行うスピーカおよび表示部を備えているものとする。
【００１９】
図３は、図２に示した生体計測装置２の外観の一例を示す図である。図３に示すように、計測報知システム１は、図２に示した尿中成分計測部２１が組み込まれた便器３１と、尿中成分計測部２１からの測定データを記憶し、処理し、または外部に送信する機能を備えた本体部３２とを備えている。すなわち、本体部３２は図２に示した生体計測装置２の外観の一例である。図３に示すように、便器３１には、尿中成分計測部２１および採尿部３３が備えられている。採尿部３３は、利用者によって排泄された尿を採取する。尿中成分計測部２１は、採取された尿に検査試薬を混合して光学的に尿中成分を計測する。なお、本実施の形態では採尿部３３や尿中成分計測部２１は便器３１に組み込みの実装形態としたが、尿中成分計測部２１は手に持って扱うハンディなタイプとし、利用者が紙コップなどを用いて採尿した尿の一部を尿中成分計測部２１にかけて尿中の特定成分を検出し計測する方法としてもよい。
【００２０】
また、生体計測装置２の本体部３２は、液晶ディスプレイ３４、操作キー３５およびアンテナ３６を備えている。アンテナ３６は、制御部２４からの情報を図１に示した通信網３に無線で送信する。液晶ディスプレイ３４は、図２に示した入力部２２および表示部２６の一例であり、液晶ディスプレイ３４は、利用者を特定するための個人識別情報や、計測頻度や計測時間帯を選択入力するための選択肢および案内文を表示したり、計測結果に関する情報（すなわち、測定結果および日常生活に関するアドバイスなど）を利用者に提示する。また、操作キー３５は、利用者からの入力操作を受け付け、液晶ディスプレイ３４に表示される表示内容を切り替える指示を受け付けたり、個人識別情報、計測頻度および計測時間帯の入力を受け付けたりする。
【００２１】
図４は、図２に示した記憶部２５に記憶されている個人プロフィール情報４１および測定報知に関する設定情報４２の一例を示す図である。同図に示すように、記憶部２５には、利用者毎に、個人プロフィール情報４１及び測定報知に関する設定情報４２が記憶されている。個人プロフィール情報４１には、計測のタイミングや計測結果を報知する利用者の携帯電話機のメールアドレスや電話番号など、情報の送信先を特定するための情報が含まれている。さらに、個人プロフィール情報４１には、制御部２４が利用者を特定するための利用者ＩＤ（例えば、「ユーザＡ」「ユーザＢ」など）と、利用者自身が自他を識別するためのニックネーム（「パパ」「ママ」「イチロー」など）とが付されている。さらに、利用者があらかじめ登録しておいた身体に関する情報（例えば、生年月日、年齢、性別、既往症など）が付されている。これらの情報は、利用者が本体部３２の操作キー３５を用いてあらかじめ設定しておく。さらに、測定報知に関する設定情報４２として、尿中成分の測定項目（例えば、尿中塩分、尿中総たんぱく、尿中ホルモン、アルブミン、尿糖、ウロビリノーゲンなど）と、計測のタイミングに関する情報としての、計測頻度（例えば、毎日、隔日、毎週、隔週、毎月）、曜日、測定の時間帯、および利用者に計測の予定時刻（計測を行うべき時刻）の到来を知らせて計測を促すためのアラームの時刻を記憶する。尿中成分は、食事や運動などの影響を受けやすいため、朝起床してすぐの早朝尿を継続的に計測し、計測値を観察することが好ましい。さらに、報知方法に関する情報（例えば、ブザーＡ、ブザーＢ、ブザーＣ・・、メロディＡ、メロディＢ、メロディＣ・・など）が付されている。これら計測項目や計測の頻度や時間帯に関する情報は、利用者があらかじめ医師等専門家の指導を受けて決定し、利用者が本体部３２を用いてあらかじめ設定しておく。また、報知方法に関する情報は、提示されているいくつかの報知方法のうちから、利用者が好みの報知方法を選択することができる。また、記憶部２５には、これ以外に、尿中成分計測部２１からの計測結果の情報が、計時部２３からの計測日時情報と併せて履歴管理部２８に個人別に記憶される。
【００２２】
図５は、図２に示した履歴管理部２８に記憶されている測定記録５１の一例を示す図である。履歴管理部２８に記憶されている測定記録５１には、利用者の過去の計測値が、それぞれの測定日時と併せて個人別に記録されている。以下では、糖尿病の患者（ユーザＡ）が家庭のトイレで計測を行う場合を想定し、測定項目は「尿糖濃度」と「尿中微量アルブミン濃度」である場合を例として説明する。尿中の微量アルブミンは、糖尿病の合併症のひとつである糖尿病性腎症のごく初期の段階から検出され、腎症の目安になる。腎症は自覚症状がなく、早期に発見することは難しいが、進行すると人工透析が必要となり、著しいＱＯＬ（生活の質）の低下を招く。そこで糖尿病患者が定期的に計測することで早期発見を促し、生活改善などにより血糖値をコントロールすることで、腎症の進行をくいとめることができる。また、尿中微量アルブミン濃度は、尿糖と併せて家庭で定期的に計測し、計測値を自分で確認し、長期に渡り変化を観察することで食生活などの生活習慣の改善への意識付けになり、合併症の予防に効果的である。
【００２３】
制御部２４は、尿中成分計測部２１から計測データを受け取ると、（１）個人識別情報の入力を受け付けるために、利用者を選択するための情報（例えば、利用者名の一覧）を液晶ディスプレイ３４に表示させる。さらに、（２）計測のタイミングが利用者個人にとって生活のリズムの中でどのタイミングであったかの選択を受け付けるために、計測時の時間帯（例えば、起床時、食前、食後、運動後などの一覧）を液晶ディスプレイ３４に表示させる。さらに、（３）計測時の体調を示す情報を利用者に選択させるための情報（例えば、良い、普通、悪いなどの一覧）を液晶ディスプレイ３４に表示させる。利用者は操作キー３５を用いて当てはまるものを選択し入力する。制御部２４は、尿中成分計測部２１からの情報に、利用者により入力部２２から入力されたこれらの情報と、計時部２３からの日時情報とを併せて履歴管理部２８に送信し、図５に示すように測定記録５１として記録する。
【００２４】
図６は、図２に示した計測予定管理部２９が管理する計測スケジュール６１の一例を示す図である。前記のように、あらかじめ利用者によって設定された図４の測定報知に関する設定情報４２と、図５に示した測定記録５１とに基づいて、計測予定管理部２９は、計測のタイミングを示す計測スケジュール６１を作成する。計測スケジュール６１は、いつ（例えば、何月何日、何時など）計測が必要で、どのような方法で報知すればよいかを個人別に示している。また、計測予定管理部２９は、各利用者の計測対象日時における計測データが、所定の時間範囲内で前後して、既に履歴管理部２８に記憶されている場合には、「済」とし、計測データの登録がない場合は「未」とし、計測を促す必要の有無を管理している。例えば、当日の深夜０時から計測スケジュールのアラーム時刻までの間に計測データが履歴管理部２８に記憶されている場合には、「済」とし、携帯情報端末４による報知を行わないものとする。
【００２５】
以上のように構成された生体計測装置２が、計測予定管理部２９の制御に基づき、利用者の携帯情報端末４において計測を促す報知を行うよう警報情報を送信する動作および作用について図７、図８のフローチャートを用いて説明する。
【００２６】
まず、計測のタイミングを利用者の携帯電話機において報知する際の動作について図７のフローチャートを用いて説明する。図７は、図２に示した制御部２４の計測予定管理部２９が、計測のタイミングを利用者に報知する際の動作を示すフローチャートである。本体部３２の計測予定管理部２９は、計時部２３の示す現在日時が、記憶部２５の測定報知に関する設定情報４２に記述された計測アラーム日時であることを確認すると（Ｓ７１）、図６に示した計測スケジュール６１を参照し、該当日時の計測項目が計測「済」であるかどうか、すなわち計測を促すアラームをする必要があるかどうかを判定する（Ｓ７２）。すでに計測データが記憶され計測「済」である場合は終了する。対象日時における計測が「未」である場合に、あらかじめ登録された対象者の携帯電話機の番号と報知方法に関する情報を参照し（Ｓ７３）、利用者の携帯電話機にアラームで報知させるための情報を図２に示した通信部２７を介して送信する（Ｓ７４）。携帯電話機は送信された情報を受信すると、メロディやアラーム音などで利用者に計測日であることを知らせると同時に、表示部に「今朝は尿検査の日です。忘れないでね」などと計測を促す情報を表示する。
【００２７】
次に、トイレにおいて、生体計測装置２による尿中成分の計測が終了し、生体計測装置２が利用者の携帯情報端末４に計測データを送信する際の動作について図８のフローチャートを用いて説明する。図８は、図２に示した制御部２４の結果通知部３０が利用者の携帯情報端末４に計測結果に関する情報を送信する際の動作を示すフローチャートである。制御部２４は、尿中成分計測部２１から測定データを取得すると（Ｓ８１）、計時部２３から測定日時を示す情報を取得し、利用者から個人識別情報や体調、計測時間帯などの情報を取得し（Ｓ８２）、取得したそれらの情報を併せて履歴管理部２８に格納する（Ｓ８３）。さらに、制御部２４は、履歴管理部２８に記憶されている過去の計測値の平均値と今回の測定データとを比較し、過去の計測値の平均値と今回の測定データとの比が所定の範囲を超えている場合は今回の測定データを異常値と判定する（Ｓ８４）。例えば、今回の計測値が過去の平均の１２０％以上または８０％以下で、異常値が突発的である場合、必ずしも健康異常ではなく、計測の仕方が不適切であったり、計測誤差であったりする場合も考えられるので、計測予定管理部２９は、再度計測しなおすよう計測タイミングの計測スケジュール６１を修正する（Ｓ８５）。たとえば通常早朝尿により計測している場合には翌日の早朝に設定し、尿糖のように食後再度計測した方がよい場合などは次の食後など、計測状況に応じて、再計測のタイミングを決定する。次に、制御部２４は記憶部２５に記憶しているアドバイス情報から計測値や個人プロフィールに応じたアドバイスを取得する（Ｓ８６）。例えば、突発的異常値で再計測の必要性がある場合は「正常値からはずれています。明日もう一度計測してください。」というようなアドバイス情報を取得する。また、異常値が連続している場合には「主治医に相談しましょう。」であるとか、また、例えば、尿たんぱくが正常値より多いときは、腎臓に負担のかからない食事における注意事項や疲労をためないように十分な睡眠をとるよう指示したアドバイスを取得する。次に、図４の個人プロフィール情報４１に登録されている利用者の携帯電話機に関する情報、すなわち、電話番号またはメールアドレスなどの情報を取得する（Ｓ８７）。次に、計測データまたはアドバイス情報を利用者の携帯情報端末４のディスプレイやスピーカなどを用いて表示や音声報知させるための情報を送信する（Ｓ８８）。携帯電話機の通話機能を利用した音声で知らせてもよいし、メール機能を利用して、メールを受信した利用者に提示してもよいし、携帯電話機にあらかじめ設定された生体計測データ管理用のアプリケーションを起動させて表示してもよい。
【００２８】
以上のように実施の形態１の計測報知システム１は、あらかじめ設定された尿中成分計測の計測スケジュールを管理し、計測がまだの場合にのみ、利用者の携帯電話機などで計測の予定を知らせることができる。したがって、利用者はトイレに行く前に、寝室や自室で計測日を知ることができるので、計測忘れを未然に防止することができる。特に、早朝尿の場合は、うっかり排尿してしまうと翌日まで計測できなくなるので、トイレに行く前に知らせることで、より確実に計測忘れを防止することができる。また、計測結果や計測結果に基づくアドバイスを利用者の携帯電話機にて知らせるので、利用者は尿中成分計測部２１の計測結果が出るまでトイレで待つ必要がなく、アドバイス情報もトイレの外で見ることができるので日常の生活にすぐに反映させることができる。
【００２９】
なお、図２に示した生体計測装置２の尿中成分計測部２１以外の機能は、尿中成分計測部２１と無線または有線で接続された洗浄暖房便座のリモコン部に備える構成としてもよい。
【００３０】
また、異常値の判定は、今回の測定データと過去のデータの平均値とを比較し、その比率が所定の値の範囲外の場合、異常であると判定したが、項目毎にあらかじめ設定された項目別異常値範囲を参照して、今回の測定データの異常値を判定するものとしてもよい。また、今回の測定データと過去のデータの平均値との差分が所定の値の範囲外の場合、異常であると判定するとしてもよい。
【００３１】
また、計測データは、生体計測装置２の表示部２６には表示しないようにしてもよい。
（実施の形態２）
次に、本発明の実施の形態２における計測報知システム１０について説明する。図９は、実施の形態２における計測報知システム１０の構成を示すブロック図である。実施の形態１の計測報知システム１では、計測スケジュールの管理や尿中成分計測部２１によって計測された測定データの情報処理などをすべて生体計測装置２で行ったが、実施の形態２の計測報知システム１０では、それらをすべて携帯情報端末９０において行う点が実施の形態１と異なる。すなわち、実施の形態１では生体計測装置２に備えられていた入力部、計時部、制御部および記憶部を、携帯情報端末９０に備えた点が異なる。なお、図２に示した計測報知システム１と同じ構成要素については、すでに説明しているので、同じ参照符号を付し説明を省略する。このような計測報知システム１０は、通信網３を介して互いに接続される生体計測装置２０および携帯情報端末９０を備える。生体計測装置２０は、尿中成分計測部２１および通信部９２を備える。通信部９２は、尿中成分計測部２１によって測定データが取得されると、取得された測定データを、通信部９２にあらかじめ設定されている電話番号またはメールアドレスに宛てて送信する。
【００３２】
携帯情報端末９０は、無線通信部９１、入力部２２、計時部２３、制御部９４、記憶部２５、表示部２６およびスピーカ９５を備える。携帯情報端末９０を携帯電話機とした場合、無線通信部９１、入力部２２、計時部２３、表示部２６およびスピーカ９５は、携帯電話機の機能として元々備えているものを本実施の形態の無線通信部９１、入力部２２、計時部２３、表示部２６およびスピーカ９５として機能させる。無線通信部９１は、生体計測装置２０の通信部９２から測定データを受信して、制御部９４に測定データを受け渡す。制御部９４は、計測予定管理部２９および結果通知部９３を備える。制御部９４は、結果通知部９３を備える点が実施の形態１の制御部２４と異なる。結果通知部９３は、記憶部２５から読み出した測定結果に関する情報（例えば、測定データや測定データに基づくアドバイス情報など）を、通信部を介して外部の携帯情報端末に送信するのではなく、表示部２６に表示させる点が実施の形態１の結果通知部３０と異なる。スピーカ９５は、例えば、携帯電話機において着信を報知するための着信音を鳴らすスピーカであり、本実施の形態では、利用者の計測タイミングを、例えば、アラーム音、メロディまたは音声などのあらかじめ設定された報知方法で報知する。
【００３３】
以上のように構成された計測報知システム１０の動作について、以下では詳細に説明する。まず、制御部９４の結果通知部９３が、生体計測装置２０から受信された計測データに基づいて、計測結果やアドバイス情報を表示部２６に表示させる動作について説明する。携帯情報端末９０が無線通信部９１を介して生体計測装置２０から生体情報に関する計測データを受信すると、制御部９４は、計時部２３から現在の日時情報を取得し、受信された計測データと、取得した日時情報とを対応付けて、記憶部２５の履歴管理部２８に格納する。なお、以下で、制御部９４が記憶部２５に記憶された計測データに基づいて計測結果やアドバイス情報を取得する動作については、実施の形態１の図８に示すフローチャート（Ｓ８１からＳ８６）と同様であるのでここでは説明を省略する。制御部９４は、取得した計測データおよびアドバイス情報を、携帯情報端末９０である携帯電話機の表示部２６に表示させる。
【００３４】
次に、履歴管理部２８に記憶されている履歴情報（図５に示した測定記録５１）に基づいて、携帯情報端末９０の計測予定管理部２９が、利用者の計測のタイミングを報知する動作について図１０のフローチャートを用いて説明する。図１０は、実施の形態２の計測報知システム１０における携帯情報端末９０の計測タイミングの報知動作を示すフローチャートである。この動作は、図７に示した実施の形態１の動作と同様であるが、計測予定管理部２９は、計時部２３の示す現在時刻が、図４に示した記憶部２５の報知に関する設定情報４２に記述された計測アラーム日時であることを確認すると（Ｓ１０１）、図６に示した計測予定管理部２９の計測スケジュール６１を参照し、該当日時の計測項目が測定「済」であるかどうか、すなわち計測を促すためにアラームで計測タイミングを報知する必要があるかどうかを判定する（Ｓ１０２）。対象日時における計測が「未」である場合に、利用者の携帯電話機のスピーカ９５において計測のタイミングの到来を報知する。報知の方法は、メロディやアラーム音や音声など、利用者の好みであらかじめ設定できるようにしておいてもよい。
【００３５】
以上のように、実施の形態２の計測報知システム１０によれば、制御部２４や記憶部２５を携帯情報端末９０側に備えたことにより、利用者が日常的に用いる携帯電話機やＰＤＡなどで計測報知システムの主要部分を実現させることができ、生体計測装置２０側は簡単な構成で実現できるという効果がある。
【００３６】
なお、無線通信部９１、入力部２２、計時部２３、表示部２６、スピーカ９５、記憶部２５などの各機能は通常携帯情報端末に備えられている各機能で実現することができる。また、制御部９４は、あらかじめ記憶部２５にインストールされている、または通信部を介してダウンロードされ記憶されたプログラムがＣＰＵによって実行されることにより実現される。
【００３７】
なお、生体計測装置２０は、トイレ室内で利用者から、個人識別情報やその日の体調や測定時刻などの入力を受け付けるために、さらに入力部２２を備えている構成としてもよい。
【００３８】
なお、上記実施の形態では、計測予定管理部２９は、計時部２３の示す現在日時が、測定報知に関する設定情報４２に記述された計測アラーム日時であることを確認し、計測を促すアラームをする必要があるかどうかを判定すると説明した。しかし、本発明はこれに限定されない。例えば、現在時刻が、測定報知に関する設定情報４２に記述された計測アラーム日時（計測を行うべき時刻）より前であっても後であっても、その前後する幅が所定時間の範囲内であれば、計測を促すアラームをする必要があるかどうかを判定するとしてもよい。
【産業上の利用可能性】
【００３９】
本発明の計測報知システムの生体計測装置はトイレ設備として有用である。また、本発明の携帯情報端末は、無線通信機能を備える携帯情報端末、例えば、携帯電話機、ＰＤＡなどとして有用である。
【図面の簡単な説明】
【００４０】
【図１】本発明の実施の形態１における計測報知システム１の構成を示すブロック図である。
【図２】図１に示した生体計測装置２の構成を示すブロック図である。
【図３】図２に示した生体計測装置２の外観の一例を示す図である。
【図４】図２に示した記憶部２５に記憶されている個人プロフィール情報４１および測定報知に関する設定情報４２の一例を示す図である。
【図５】図２に示した履歴管理部２８に記憶されている測定記録５１の一例を示す図である。
【図６】図２に示した計測予定管理部２９が管理する計測スケジュール６１の一例を示す図である。
【図７】図２に示した制御部２４の計測予定管理部２９が、計測のタイミングを利用者に報知する際の動作を示すフローチャートである。
【図８】図２に示した制御部２４の結果通知部３０が生体計測装置２における計測結果またはアドバイス情報を携帯情報端末４に送信する動作を示すフローチャートである。
【図９】実施の形態２における計測報知システム１０の構成を示すブロック図である。
【図１０】図９に示した計測報知システム１０における携帯情報端末９０の計測タイミングの報知動作を示すフローチャートである。
【符号の説明】
【００４１】
１    計測報知システム
２    生体計測装置
３    通信網
４    携帯情報端末
１０    計測報知システム
２０    生体計測装置
２１    尿中成分計測部
２２    入力部
２３    計時部
２４    制御部
２５    記憶部
２６    表示部
２７    通信部
２８    履歴管理部
２９    計測予定管理部
３０    結果通知部
３１    便器
３２    本体部
３３    採尿部
３４    液晶ディスプレイ
３５    操作キー
３６    アンテナ
４１    個人プロフィール情報
４２    設定情報
５１    測定記録
６１    計測スケジュール
９０    携帯情報端末
９１    無線通信部
９２    通信部
９３    結果通知部
９４    制御部
９５    スピーカ
【図１】
2005342121.tif 000003
【図２】
2005342121.tif 000004
【図３】
2005342121.tif 000005
【図４】
2005342121.tif 000006
【図５】
2005342121.tif 000007
【図６】
2005342121.tif 000008
【図７】
2005342121.tif 000009
【図８】
2005342121.tif 000010
【図９】
2005342121.tif 000011
【図１０】
2005342121.tif 000012